(57)【特許請求の範囲】
【請求項１】
受信したデータを通信情報と共にネットワークを介してサーバ装置に転送するようにした通信装置において、
画像データを通信情報と共に受信する受信手段と、
前記受信手段が受信した画像データを通信情報と共に記憶するとともに高速転送可能な１次記憶手段と、
前記１次記憶手段よりも記憶容量が大きく高速転送可能でない２次記憶手段と、
前記１次記憶手段に記憶された画像データを標準フォーマットに整形するとともに、前記通信情報から構築した付加情報を前記標準フォーマットに整形された画像データに付加する転送手段と、
ネットワークを介してサーバ装置に接続され、前記転送手段により前記標準フォーマットに整形されるとともに前記付加情報が付加された画像データを前記サーバ装置に送信するためのネットワーク通信を行なうネットワーク通信手段と、
前記ネットワーク通信手段が前記サーバ装置に前記標準フォーマットに整形されるとともに前記付加情報が付加された画像データを送信するのを失敗したとき、前記１次記憶手段に記憶されている画像データを通信情報と共に前記２次記憶手段に待避して前記１次記憶手段から前記画像データおよび通信情報を消去し、前記２次記憶手段に待避された画像データを前記転送手段により標準フォーマットに整形するとともに前記通信情報から構築した付加情報を前記標準フォーマットに整形された画像データに付加し、前記ネットワーク通信手段により前記サーバ装置に再送信し、再送信が失敗したときには再送信を繰り返す送信手段とを有することを特徴とする通信装置。
【請求項２】
サーバ装置に画像データを送信するコンピュータを、
画像データを通信情報と共に受信する受信手段、
前記受信手段が受信した画像データを通信情報と共に記憶するとともに高速転送可能な１次記憶手段に記憶する記憶手段、
前記１次記憶手段に記憶された画像データを標準フォーマットに整形するとともに、前記通信情報から構築した付加情報を前記標準フォーマットに整形された画像データに付加する転送手段、
前記転送手段により前記標準フォーマットに整形されるとともに前記付加情報が付加された画像データをネットワークを介してサーバ装置に送信するネットワーク通信を行なうネットワーク通信手段、
前記ネットワーク通信手段が前記サーバ装置に前記標準フォーマットに整形されるとともに前記付加情報が付加された画像データを送信するのを失敗したとき、前記１次記憶手段に記憶されている画像データを通信情報と共に前記１次記憶手段よりも記憶容量の大きく高速転送可能でない２次記憶手段に待避して前記１次記憶手段から前記画像データおよび通信情報を消去し、前記２次記憶手段に待避された画像データを前記転送手段により標準フォーマットに整形するとともに前記通信情報から構築した付加情報を前記標準フォーマットに整形された画像データに付加し、前記ネットワーク通信手段により前記サーバ装置に再送信し、再送信が失敗したときには再送信を繰り返す送信手段、として機能させることを特徴とする画像データの送信プログラム。
【請求項３】
コンピュータによってサーバ装置に画像データを送信する送信プログラムを記録した記録媒体であって、
画像データを通信情報と共に受信する受信手段、
前記受信手段が受信した画像データを通信情報と共に記憶するとともに高速転送可能な１次記憶手段に記憶する記憶手段、
前記１次記憶手段に記憶された画像データを標準フォーマットに整形するとともに、前記通信情報から構築した付加情報を前記標準フォーマットに整形された画像データに付加する転送手段、
前記転送手段により前記標準フォーマットに整形されるとともに前記付加情報が付加された画像データをネットワークを介してサーバ装置に送信するネットワーク通信を行なうネットワーク通信手段、
前記ネットワーク通信手段が前記サーバ装置に前記標準フォーマットに整形されるとともに前記付加情報が付加された画像データを送信するのを失敗したとき、前記１次記憶手段に記憶されている画像データを通信情報と共に前記１次記憶手段よりも記憶容量の大きく高速転送可能でない２次記憶手段に待避して前記１次記憶手段から前記画像データおよび通信情報を消去し、前記２次記憶手段に待避された画像データを前記転送手段により標準フォーマットに整形するとともに前記通信情報から構築した付加情報を前記標準フォーマットに整形された画像データに付加し、前記ネットワーク通信手段により前記サーバ装置に再送信し、再送信が失敗したときには再送信を繰り返す送信手段、として機能させるための画像データの送信プログラムを記録したことを特徴とするコンピュータ読み取り可能な記録媒体。
【請求項４】
プログラムされたコンピュータによってサーバ装置に画像データを送信する画像データの送信方法であって、
画像データを通信情報と共に受信する受信工程と、
前記受信工程で受信した画像データを通信情報と共に記憶するとともに高速転送可能な１次記憶手段に記憶する記憶工程と、
前記１次記憶手段に記憶された画像データを標準フォーマットに整形するとともに、前記通信情報から構築した付加情報を前記標準フォーマットに整形された画像データに付加する転送工程と、
前記転送工程により前記標準フォーマットに整形されるとともに前記付加情報が付加された画像データをネットワークを介してサーバ装置に送信するネットワーク通信を行なうネットワーク通信工程と、
前記ネットワーク通信工程で前記サーバ装置に前記標準フォーマットに整形されるとともに前記付加情報が付加された画像データを送信するのを失敗したとき、前記１次記憶手段に記憶されている画像データを通信情報と共に前記１次記憶手段よりも記憶容量の大きく高速転送可能でない２次記憶手段に待避して前記１次記憶手段から前記画像データおよび通信情報を消去する消去工程と、
前記２次記憶手段に待避された画像データを前記転送工程により標準フォーマットに整形するとともに前記通信情報から構築した付加情報を前記標準フォーマットに整形された画像データに付加し、前記ネットワーク通信工程により前記サーバ装置に再送信し、再送信が失敗したときには再送信を繰り返す送信工程とを含むことを特徴とする画像データの送信方法。
【請求項５】
前記１次記憶手段を半導体メモリから構成するとともに、前記２次記憶手段をハードディスクから構成したことを特徴とする請求項１記載の通信装置。
【発明の詳細な説明】
【０００１】
【発明の属する技術分野】
本発明は、ファクシミリ装置、複合機等の通信装置で受信したファクシミリ文章等をサーバ装置にネットワークを介して高速に送信することができるようにした通信装置、画像データの送信プログラム、送信プログラムを記録した記録媒体並びに画像データの送信方法に関する。
【０００２】
【従来の技術】
近時、社内等において、例えば、電話回線を通してファクシミリ装置等の通信装置でファクシミリ文書を受信し、このファクシミリ文書を指定された宛先に送信するために、ファクシミリ文書を親展ＩＤやＦコード等の通信情報と共にＬＡＮ（Local Area Network）等のネットワークを介してファクシミリ通信機能を有したサーバ装置に内線転送機能を利用して送信し、サーバ装置からメールによって各個人に配信する、または、所定フォルダに配り分けるシステムが開発、製品化されている。
【０００３】
このようにファクシミリ文書をサーバ装置に送信する通信装置は、電話回線を通して受信したファクシミリ文書を通信情報と共に記憶容量の小さい高速転送可能なメモリに記憶し、メモリに記憶された受信文書を標準フォーマットに整形して通信情報と共にサーバ装置に転送するようになっている。
【０００４】
【発明が解決しようとする課題】
しかしながら、このような従来の通信装置にあっては、記憶容量の小さいメモリを介して受信文書をサーバ装置に送信するようになっていたため、サーバ装置との通信回線の速度が送信側のファクシミリ装置の通信回線の速度よりも高速である場合、または、サーバ装置が別の機器と通信中であるために通信装置とサーバ装置との間で通信できない場合等には、メモリがオーバーフローしてしまい、後続するファクシミリ文書の受信が行なえなくなるという問題があった。
【０００５】
そこで本発明は、画像データを親展ＩＤ等の通信情報と共に高速なネットワークを介してサーバ装置に送信し、サーバ装置においてメールによって各個人に配信する、あるいは所定フォルダに振り分けを行なう等に際し、通信装置で受信した文書を配信サーバに送信するのを失敗した場合に、１次記憶手段に記憶された受信文書を大容量の２次記憶手段に待避した後、１次記憶手段の受信文書データを削除することにより、１次記憶装置の記憶領域を開放して、続く画像データの受信を確実に行なうことができる通信装置、画像データの送信プログラム、送信プログラムを記録した記録媒体並びに画像データの送信方法を提供することを目的としている。
【０００６】
【課題を解決するための手段】
第１の発明は、上記課題を解決するために、受信したデータを通信情報と共にネットワークを介してサーバ装置に転送するようにした通信装置において、画像データを通信情報と共に受信する受信手段と、前記受信手段が受信した画像データを通信情報と共に記憶するとともに高速転送可能な１次記憶手段と、前記１次記憶手段よりも記憶容量が大きく高速転送可能でない２次記憶手段と、前記１次記憶手段に記憶された画像データを標準フォーマットに整形するとともに、前記通信情報から構築した付加情報を前記標準フォーマットに整形された画像データに付加する転送手段と、ネットワークを介してサーバ装置に接続され、前記転送手段により前記標準フォーマットに整形されるとともに付加情報が付加された画像データを前記サーバ装置に送信するためのネットワーク通信を行なうネットワーク通信手段と、前記ネットワーク通信手段が前記サーバ装置に前記標準フォーマットに整形されるとともに付加情報が付加された画像データを送信するのを失敗したとき、前記１次記憶手段に記憶されている画像データを通信情報と共に前記２次記憶手段に待避して前記１次記憶手段から前記画像データおよび通信情報を消去し、前記２次記憶手段に待避された画像データを前記転送手段により標準フォーマットに整形するとともに前記通信情報から構築した付加情報を前記標準フォーマットに整形された画像データに付加し、前記ネットワーク通信手段により前記サーバ装置に再送信し、再送信が失敗したときには再送信を繰り返す送信手段とを有することを特徴としている。
【０００７】
その場合、画像データを親展ＩＤ等の通信情報と共に高速なネットワークを介してサーバ装置に送信し、サーバ装置からメールによって各個人に配信する、あるいは所定フォルダに振り分けを行なう等の作業を行なうが、画像データをサーバ装置に送信するのを失敗した場合には、１次記憶手段に記憶されている画像データを大容量の２次記憶手段に待避して１次記憶手段の画像データを削除し、一時記憶手段の記憶領域を開放することができるため、続くデータの受信を確実に行なうことができる上に、サーバ装置との通信が可能なときには２次記憶装置に記憶された画像データを標準フォーマットに整形して、通信情報と共にサーバ装置に直ちに送信することができる。
【０００８】
第２の発明は、上記課題を解決するために、サーバ装置に画像データを送信するコンピュータを、画像データを通信情報と共に受信する受信手段、前記受信手段が受信した画像データを通信情報と共に記憶するとともに高速転送可能な１次記憶手段に記憶する記憶手段、前記１次記憶手段に記憶された画像データを標準フォーマットに整形するとともに、前記通信情報から構築した付加情報を前記標準フォーマットに整形された画像データに付加する転送手段、前記転送手段により前記標準フォーマットに整形されるとともに付加情報が付加された画像データをネットワークを介してサーバ装置に送信するネットワーク通信を行なうネットワーク通信手段、前記ネットワーク通信手段が前記サーバ装置に前記標準フォーマットに整形されるとともに付加情報が付加された画像データを送信するのを失敗したとき、前記１次記憶手段に記憶されている画像データを通信情報と共に前記１次記憶手段よりも記憶容量の大きく高速転送可能でない２次記憶手段に待避して前記１次記憶手段から前記画像データおよび通信情報を消去し、前記２次記憶手段に待避された画像データを前記転送手段により標準フォーマットに整形するとともに前記通信情報から構築した付加情報を前記標準フォーマットに整形された画像データに付加し、前記ネットワーク通信手段により前記サーバ装置に再送信し、再送信が失敗したときには再送信を繰り返す送信手段、として機能させることを特徴とする画像データの送信プログラムである。
【０００９】
その場合、続くデータの受信を確実に行なうことができる上に、サーバ装置との通信が可能なときには２次記憶装置に記憶された画像データを標準フォーマットに整形して、通信情報と共にサーバ装置に直ちに送信することができるプログラムを得ることができる。
【００１０】
第３の発明は、上記課題を解決するために、コンピュータによってサーバ装置に画像データを送信する送信プログラムを記録した記録媒体であって、画像データを通信情報と共に受信する受信手段、前記受信手段が受信した画像データを通信情報と共に記憶するとともに高速転送可能な１次記憶手段に記憶する記憶手段、前記１次記憶手段に記憶された画像データを標準フォーマットに整形するとともに、前記通信情報から構築した付加情報を前記標準フォーマットに整形された画像データに付加する転送手段、前記転送手段により前記標準フォーマットに整形されるとともに付加情報が付加された画像データをネットワークを介してサーバ装置に送信するネットワーク通信を行なうネットワーク通信手段、前記ネットワーク通信手段が前記サーバ装置に前記標準フォーマットに整形されるとともに付加情報が付加された画像データを送信するのを失敗したとき、前記１次記憶手段に記憶されている画像データを通信情報と共に前記１次記憶手段よりも記憶容量の大きく高速転送可能でない２次記憶手段に待避して前記１次記憶手段から前記画像データおよび通信情報を消去し、前記２次記憶手段に待避された画像データを前記転送手段により標準フォーマットに整形するとともに前記通信情報から構築した付加情報を前記標準フォーマットに整形された画像データに付加し、前記ネットワーク通信手段により前記サーバ装置に再送信し、再送信が失敗したときには再送信を繰り返す送信手段、として機能させるための画像データの送信プログラムを記録したことを特徴とするコンピュータ読み取り可能な記録媒体である。
【００１１】
その場合、続くデータの受信を確実に行なうことができる上に、サーバ装置との通信が可能なときには２次記憶装置に記憶された画像データを標準フォーマットに整形して、通信情報と共にサーバ装置に直ちに送信することができるプログラムが記憶された記録媒体を得ることができる。
【００１２】
第４の発明は、上記課題を解決するために、プログラムされたコンピュータによってサーバ装置に画像データを送信する画像データの送信方法であって、画像データを通信情報と共に受信する受信工程と、前記受信工程で受信した画像データを通信情報と共に記憶するとともに高速転送可能な１次記憶手段に記憶する記憶工程と、前記１次記憶手段に記憶された画像データを標準フォーマットに整形するとともに、前記通信情報から構築した付加情報を前記標準フォーマットに整形された画像データに付加する転送工程と、前記転送工程により前記標準フォーマットに整形されるとともに付加情報が付加された画像データをネットワークを介してサーバ装置に送信するネットワーク通信を行なうネットワーク通信工程と、前記ネットワーク通信工程で前記サーバ装置に前記標準フォーマットに整形されるとともに付加情報が付加された画像データを送信するのを失敗したとき、前記１次記憶手段に記憶されている画像データを通信情報と共に前記１次記憶手段よりも記憶容量の大きく高速転送可能でない２次記憶手段に待避して前記１次記憶手段から前記画像データおよび通信情報を消去する消去工程と、前記２次記憶手段に待避された画像データを前記転送工程により標準フォーマットに整形するとともに前記通信情報から構築した付加情報を前記標準フォーマットに整形された画像データに付加し、前記ネットワーク通信工程により前記サーバ装置に再送信し、再送信が失敗したときには再送信を繰り返す送信工程とを含むことを特徴としている。
【００１３】
その場合、続くデータの受信を確実に行なうことができる上に、サーバ装置との通信が可能なときには２次記憶装置に記憶された画像データを標準フォーマットに整形して、通信情報と共にサーバ装置に直ちに送信することができる。
【００１４】
第５の発明は、上記課題を解決するために、前記１次記憶手段を半導体メモリから構成するとともに、前記２次記憶手段をハードディスクから構成したことを特徴としている。
【００１５】
その場合、画像データを通信情報と共に高速なネットワークによってサーバ装置に高速で送信することができ、サーバ装置から各宛先（各個人）に配信するために要する時間を大幅に短縮することができるとともに、待避領域を十分に確保することができる。
【００１６】
【発明の実施の形態】
以下、本発明の実施形態を図面に基づいて説明する。
【００１７】
図１〜７は本発明に係る通信装置、画像データの送信プログラム、送信プログラムを記録した記録媒体並びに画像データの送信方法の一実施形態を示す図であり、通信装置としてファクシミリ装置を例にして説明する。
【００１８】
まず、構成を説明する。図１はシステム構成図であり、図１において、１は通信装置としてのファクシミリ装置であり、このファクシミリ装置１は公衆電話回線２を介して相手側のファクシミリ装置３に接続されている。また、ファクシミリ装置はＬＡＮ（Local Area Network）からなるネットワーク４に接続されており、このネットワーク４にはサーバ装置５およびクライアントＰＣ（パーソナルコンピュータ）６が接続されている。なお、ネットワークとしてインターネット等であっても良い。
【００１９】
図２はファクシミリ装置１を示す図であり、図２において、ファクシミリ装置１は、中央処理装置11、主記憶装置12、ハードディスク13、ファクシミリ通信手段14、ＳＡＦ（Store And Forward）メモリ15、ＲＯＭ16、ネットワークコントローラ17、印字手段18および読み取り手段19から構成されている。
【００２０】
中央演算手段11はファクシミリ装置12全体を制御するものであり、ファクシミリ装置１としてのシーケンスを行なうとともに、本発明の送信プログラムに基づいて機能する。
【００２１】
主記憶装置12はワークエリアを構成するものであり、受信した画像データを伸長したり、受信した通信情報に含まれる付加情報（メタ情報）を画像データに構築したりするようになっている。
【００２２】
ファクシミリ通信手段14は公衆電話回線２を介してファクシミリ装置３との間でファクシミリ通信を行なうようになっており、受信手段を構成している。
【００２３】
ネットワークコントローラ17はネットワーク４を介してサーバ装置との間でＦＴＰ（File Transfer Protocol：ファイル転送プロトコル）等の通信を行なうようになっており、ネットワーク通信手段を構成している。
【００２４】
ＳＡＦメモリ15は電池によってバックアップされるとともに、高速転送可能な記憶容量の少ないメモリであり、公衆電話回線２を介して受信したデータを記憶するようになっている。本実施形態ではＳＡＦメモリ15が１次記憶手段を構成している。
【００２５】
ハードディスク13はＳＡＦメモリ15よりも記憶容量が大きいメモリであり、サーバ装置５が別の機器との通信中であることを等をネットワークコントローラ17が検出したときには、ファクシミリ装置１とサーバ装置５との間で通信できない場合等であり、このままＳＡＦメモリ15に画像データを蓄積し続けると、ＳＡＦメモリ15がオーバーフローして後続するファクシミリ文書の受信が行なえなくなるものと中央演算手段11が判断するため、中央演算手段11からの指令によってＳＡＦメモリ15に記憶された画像データが通信情報と共にこのハードディスク13に待避されるようになっている。
【００２６】
このとき、ＳＡＦメモリ15からハードディスク13に待避されたデータは中央演算手段11からの指令に基づいて消去されるようになっている。
【００２７】
また、中央演算手段11はＳＡＦメモリ15またはハードディスク13に記憶された画像データを標準フォーマットに整形して主記憶手段12に転送し、この主記憶装置12上で通信情報を付加して送信データを加工するようになっており、主記憶手段12と共に転送手段を構成している。
【００２８】
また、中央演算手段11は、ハードディスク13に待避された画像データを上述したように加工してサーバ装置５に再送信し、再送信が失敗したときには再送信を繰り返すようになっており、送信手段を構成している。
【００２９】
ＲＯＭ16は中央演算手段11を機能させる後述するフローチャートで示す送信プログラムが格納されており、記録媒体を構成している。なお、記録媒体としては、ＲＯＭ16に限らず、送信プログラムを記憶可能なＣＤ、フロッピィーディスク、ＤＶＤ、ＭＤ等であっても良い。
【００３０】
印字手段18はサーマル素子を利用したサーマル記録装置、感光体ドラムおよびトナー等を使用した電子写真方式の記録装置等が使用されており、印字手段18は画像データを記録紙に記録するようになっている。
【００３１】
読み取り手段19はＣＣＤ（Charge Coupled Device）等を利用したイメージスキャナが利用されており、読み取り手段19は、中央演算手段11からの指令によって原稿を走査して原稿の画像データを所定の解像度で読み取るようになっている。
【００３２】
一方、図３はサーバ装置５の構成を示す図であり、サーバ装置５は、ＣＰＵ21、ＲＯＭ22、ＲＡＭ23、配信テーブル24、ＬＡＮコントローラ25およびハードディスク26から構成されている。
【００３３】
ＣＰＵ21はサーバ装置５全体を制御するものであり、本実施形態の電子メールアドレスの取得動作等を行なうようになっている。
【００３４】
ＲＯＭ22にはＨ.323の制御手順やネットワーク４の制御手順が記憶されているメモリである。
【００３５】
ＲＡＭ23はネットワーク制御に際し、必要なデータを一時的に保持したり、ネットワーク４の制御の際のプロトコル処理を行なうメモリである。
【００３６】
配信テーブル24は、配信先の配信エントリの親展ＩＤまたはＦコードが記憶されており、ＣＰＵ21がファクシミリ装置１から受信した通信情報に含まれる親展ＩＤまたはＦコードを配信テーブル24に記憶された親展ＩＤまたはＦコードと比較し、一致する配信エントリがあった場合には、配信エントリの配信先情報から電子メールアドレスを取得し、ファクシミリ装置１から受信した標準フォーマット化された画像データおよび付加情報から電子メールデータを作成してクライアントＰＣ６等に配信するようになっている。
【００３７】
ハードディスク26はファクシミリ装置１から受信した配信データおよび通信情報を記憶する大容量メモリである。
【００３８】
図４、５はＲＯＭ16に記憶され、中央演算装置11を機能させるための送信プログラムである。
【００３９】
まず、図４に基づいてファクシミリ装置３から受信したデータをサーバ装置５に送信する処理を説明する。
【００４０】
まず、ファクシミリ通信手段１において、相手先のファクシミリ装置３から画像データとしてファクシミリ文書を受信したか否かを判別し（ステップＳ1）、受信したものと判断したときには、このファクシミリ文書の画像データおよび通信情報をＳＡＦメモリ15に記憶する（ステップＳ2）。
【００４１】
次いで、記憶した通信情報から受信したファクシミリ文書が親展通信である、またはＦコード通信であるかを判断し（ステップＳ3）、親展通信でもＦコード通信でもない場合には、ＳＡＦメモリ15に記憶したファクシミリ文書を主記憶手段12上に伸張した後、印字手段18によって伸張された画像データを記録紙に印字する（ステップＳ4、Ｓ5）。
【００４２】
一方、ステップＳ3において、親展通信、またはＦコード通信であるものと判断した場合には、ＳＡＦメモリ15に記憶したファクシミリ文書に標準フォーマットのヘッダ、例えばＴＩＦＦ（Tag Image File Format）ヘッダ付加して主記憶手段12上に転送し（ステップＳ6）、ＳＡＦメモリ15上の通信情報から画像データの付加情報（メタ情報）を構築して主記憶手段12上に転送する（ステップＳ7）。
【００４３】
次いで、ネットワークコントローラ17およびネットワーク４を介して、サーバ装置５にＦＴＰによって主記憶手段12の標準フォーマット化された画像データおよび付加情報（メタ情報）を転送する（ステップＳ8）。次いで、この転送が正常に行なわれたか否かを判別し（ステップＳ9）、正常に行なわれたものと判断した場合には、ＳＡＦメモリ15上の画像データおよび通信情報を消去してＳＡＦメモリ15の記憶領域を開放し（ステップＳ10）、主記憶手段12の標準フォーマット化された画像データおよび付加情報（メタ情報）を消去して主記憶手段12の記憶領域を開放する（ステップＳ11）。
【００４４】
一方、ステップＳ9で正常に転送されないものと判断した場合には、ＳＡＦメモリ15上の画像データおよび通信情報をハードディスク13に待避し（ステップＳ12）、ハードディスク13上の画像データおよび通信情報をサーバ装置15に転送するプロセスに、待避した画像データおよび通信情報の転送を依頼する（ステップＳ13）。
【００４５】
次に、転送依頼のプログラムを図５に示すフローチャートに基づいて説明する。図５において、ハードディスク13上の画像データおよび通信情報をサーバ装置５に転送するプロセスでは、まず、転送依頼がなされたかを判断し（ステップＳ21）、転送依頼がなされた場合には、ハードディスク13に待避された画像データに標準フォーマットのヘッダ、例えばＴＩＦＦヘッダを付加して主記憶手段12上に転送し（ステップＳ22）、ハードディスク13に待避された通信情報から画像データの付加情報（メタ情報）を構築して主記憶手段12に転送する（ステップＳ23）。
【００４６】
次いで、ネットワークコントローラ17およびネットワーク４を介して、サーバ装置５にＦＴＰによって主記憶手段12上の標準フォーマット化された画像データおよび付加情報（メタ情報）を転送する（ステップＳ24）。
【００４７】
次いで、この転送が正常に行なわれたかを判別し（ステップＳ25）、正常に行なわれた場合にはハードディスク13に待避されている画像データおよび通信情報を消去した後（ステップＳ26）、主記憶手段12上の標準フォーマット化された画像データおよび付加情報（メタ情報）を消去して主記憶手段12の記憶領域を開放する（ステップＳ27）。
【００４８】
次に、図６のフローチャートに基づいてサーバ装置５の配信動作を説明する。
【００４９】
図６において、ネットワーク４を介してファクシミリ装置１から標準フォーマット化された画像データおよび付加情報（メタ情報）の受信を待ち（ステップＳ31）、標準フォーマット化された画像データおよび付加情報を受信したならば、これらを一旦主記憶手段12に格納する（ステップＳ32）。
【００５０】
次いで、図７に示すように、配信テーブル24の各配信エントリの親展ＩＤ31（ここでは、０１２３、１２３４が親展ＩＤに対応する配信エントリ）、またはＦコード32（ここでは、１２３４５６７、１１１１１１１１、０９８７６５４３がＦコードに対応する配信エントリ）と、受信した通信情報に含まれる親展ＩＤ、またはＦコードと比較処理を行ない（ステップＳ33）、配信テーブル24に親展ＩＤ、またはＦコードが一致する配信エントリが登録されていたか否か判別し（ステップＳ34）、一致する配信エントリが無かった場合には、所定のフォルダの下に、画像データ等を受信した時刻情報に基づいてフォルダを作成し（ステップＳ35）、標準フォーマット化された画像データおよび付加情報をファイルとして保存する（ステップＳ36）。
【００５１】
また、ステップＳ34で一致する配信エントリがあった場合には、配信エントリの配信先情報から電子メールアドレスを取得した後（ステップＳ37）、標準フォーマット化された画像データおよび付加情報から電子メールデータを作成し（ステップＳ38）、作成された電子メールアドレスに電子メールデータを送信する（ステップＳ39）。
【００５２】
なお、図７の配信テーブルでは、例えば、受信した通信情報に含まれる親展ＩＤが配信テーブル24に記憶された親展ＩＤの配信エントリ「０１２３」に一致した場合には、ａａａ＠ｘｘｘ.ｙｙｙ.ｃｏ.ｊｐのメールアドレス、例えば、クライアントＰＣ６に電子メールデータが送信される。
【００５３】
このように本実施形態では、画像データを親展ＩＤ等の通信情報と共に高速なネットワーク４を介してサーバ装置５に送信し、サーバ装置５からメールによって各個人に配信する等の作業を行なうが、画像データをサーバ装置５に送信するのを失敗した場合には、ＳＡＦメモリ15に記憶されている画像データを大容量のハードディスク13に待避してＳＡＦメモリ15の画像データを削除し、ＳＡＦメモリ15の記憶領域を開放することができるため、続くデータの受信を確実に行なうことができる上に、サーバ装置５との通信が可能なときにはハードディスク13に記憶された画像データを標準フォーマットに整形して、通信情報と共にサーバ装置５に直ちに送信することができる。
【００５４】
また、１次記憶手段をＳＡＦメモリ15から構成するとともに、２次記憶手段をハードディスク13から構成したため、画像データを通信情報と共に高速なネットワーク４によってサーバ装置５に高速で送信することができ、サーバ装置５から各宛先（各個人）に配信するために要する時間を大幅に短縮することができる。
【００５５】
【発明の効果】
本発明によれば、画像データをサーバ装置に送信するのを失敗した場合には、１次記憶手段に記憶されている画像データを大容量の２次記憶手段に待避して１次記憶手段の画像データを削除し、一時記憶手段の記憶領域を開放することができるため、続くデータの受信を確実に行なうことができる上に、サーバ装置との通信が可能なときには２次記憶装置に記憶された画像データを標準フォーマットに整形して、通信情報と共にサーバ装置に直ちに送信することができる通信装置、画像データの送信プログラム、送信プログラムを記録した記録媒体並びに画像データの送信方法を提供することができる。
【００５６】
また、１次記憶手段をＳＡＦメモリから構成するとともに、２次記憶手段をハードディスクから構成したため、画像データを通信情報と共に高速なネットワークによってサーバ装置に高速で送信することができ、サーバ装置から各宛先（各個人）に配信するために要する時間を大幅に短縮することができるとともに、待避領域を十分に確保することができる。
【図面の簡単な説明】
【図１】本発明に係る通信装置、画像データの送信プログラム、送信プログラムを記録した記録媒体並びに画像データの送信方法の一実施形態を示す図であり、そのファクシミリ装置を含んだ通信システムの構成図である。
【図２】一実施形態のファクシミリ装置のブロック図である。
【図３】一実施形態のサーバ装置のブロック図である。
【図４】一実施形態のファクシミリ装置が受信したファクシミリ文書の送信処理を示すフローチャートである。
【図５】一実施形態のファクシミリ装置からサーバ装置への転送依頼処理を示すフローチャートである。
【図６】一実施形態のサーバ装置の配信処理を示すフローチャートである。
【図７】一実施形態のサーバ装置の配信テーブルを示す図である。
【符号の説明】
１    ファクシミリ装置（通信装置）
２    公衆電話回線
３    相手側のファクシミリ装置
４    ＬＡＮ（ネットワーク）
５    サーバ装置
６    クライアントＰＣ
11    中央演算手段（転送手段、送信手段）
12    主記憶装置
13    ハードディスク（２次記憶手段）
14    ファクシミリ通信手段（受信手段）
15    ＳＡＦ（１次記憶手段）
16    ＲＯＭ
17    ネットワークコントローラ（ネットワーク通信手段）
18    印字手段
19    読み取り手段
【図１】
0003953739.tif 000002
【図２】
0003953739.tif 000003
【図３】
0003953739.tif 000004
【図４】
0003953739.tif 000005
【図５】
0003953739.tif 000006
【図６】
0003953739.tif 000007
【図７】
0003953739.tif 000008